(57)【特許請求の範囲】
【請求項１】
容器本体と、この容器本体にネジで装着されるキャップとを備え、前記容器本体からキャップの取り外し時におけるネジの解除動作における完了時をキャップ操作者に知らせるため、前記容器本体の上部外周面のネジの始点に対応する位置に、周方向に延びる２つの斜面により半径方向に突出して設けられた突出部、および前記キャップの下部内周面に設けられ、前記突出部を半径方向に弾性変形して乗り越える弾性部材を備えるネジ解除完了告知手段を有する容器であって、前記キャップの少なくとも前記弾性部材が設けられる下方部分が、外キャップ部材と、その内側の弾性材料で形成されている内キャップ部材とで形成されており、前記弾性部材は前記内キャップ部材を切り欠くか薄肉部を設けることにより弾性変形ができるようになっており、前記突出部を形成する２つの斜面において、ネジ締め回転方向前側の斜面の角度が、後ろ側の斜面の角度より小さくされていて、ネジの解除に近づくと、前記弾性部材は、前記突出部の比較的急な斜面を半径方向外方に変形しながら抵抗感を伴って登り、この斜面を登り切り、次いで比較的緩やかな斜面をゆっくりと前記の抵抗感を解除しながら下り、この抵抗感の発生と解除により、操作者にネジ解除の完了の告知を行うようになっていることを特徴とする容器。
【請求項２】
前記ネジが１条または２条である請求項１の容器。
【請求項３】
化粧料用である請求項１または２の容器。
【請求項４】
前記キャップの容器本体への取り付け時におけるネジの締め付け動作における完了時をキャップ操作者に知らせるため、およびネジ終点におけるキャップの容器本体に対する位置決め固定のため、前記容器本体の上部外周面のネジの終点に対応する位置に、周方向に延びる２つの斜面により半径方向に突出して設けられた予告突出部と、これに間隔をあけて配置されたストッパー突出部とを備えるネジ締め付け完了告知・固定手段を更に備え、前記弾性部材がこのネジ締め付け完了告知・固定手段の一部をなし、ネジ終点において、前記弾性部材が前記予告突出部を半径方向に弾性変形して乗り越え、前記予告突出部とストッパー突出部の間に位置決め固定されるようになっている請求項１〜３のいずれかの容器。
【発明の詳細な説明】
【０００１】
【発明の属する技術分野】
本発明は、容器に関するものである。
【０００２】
【従来の技術】
近年の、特にキャップに塗布具を有する容器においては、内容液が塗布具シャフトにべったり付着したり、ビン口元にあふれたりと、使用後に於ける逆シゴキによる汚れがひどかったという問題を解決する目的で、上記シャフトに凸を設け、キャップをするとき、この凸による逆シゴキで、シゴキパッキン上の液をビン内へ押し込む容器となってきている。
【０００３】
この凸が押し込む時の内圧で上に液が逃げないよう、容器口元内壁を凸が圧力を加えてビン内へ掻き下ろす。すなわち、ポンプの役目をする。このポンプの果たす役目は、使用のためキャップを外すときに同様に抵抗がある。
液が上に逃げないための、側壁を掻く圧力抵抗はキャップを外すときもその抵抗がある。この抵抗があるままネジを回すのであるが、この抵抗によって、ネジが何時外れたか全然分からない。化粧品容器の場合のネジ回転はおおむね１回転で、多くとも２回転止まりである。それが、何時ネジが外れたか分からないので、３回、４回と回して、その人自身の勘でキャップを引っ張ってみる。早ければ、まだネジが掛かっている。かといって、遅いほど煩わしい。
ねじが外れたときにアクセントがのぞまれているが、いまだにこの要望に応えている容器がないのが実状である。
【０００４】
ところで、上記容器において、キャップを容器本体に取付固定するための普通のネジは、オス・メス共切り終わりが細く薄くなるので、締めればどんどん締められるため、外すとなるとオス・メスが食い込んで大変な力が必要となる。
一方、特に多種の容器類におけるネジ部においては、容器内容物の漏れ防止のためオネジ部またはメネジ部にパッキンが設けられているのが通常である。このように、パッキンが設けられていると、キャップを回してネジを締めるとパッキンが圧縮され、力を入れれば入れるだけネジが進む。その代わり、キャップを外すときは大きな力が必要になる。キャップを開けるのに、このように大きな力が必要になると、化粧によるクリームとかローション等が手に少しあるだけで滑ってキャップが開けられない。
また、締め付けがきつすぎると、パッキンが圧着されすぎて復元が少なくなり、回数が多くなるほど対容器間隔がなくなって、やがて対容器間隔が「０」になり、シールが効かなくなり、漏れが生じるという問題もある。
【０００５】
このようなネジ終点における問題点を解消するため、近年、図１８、図１９、図２０に示したようなネジストッパーあるいは位置決めという名称の手段が採用されるに至っている。
図１８に示された容器５００においては、容器本体５０２の口部５０４の下部に円環状の段部５０６を設け、この段部５０６に連続する凸部５０８を形成するとともに、キャップ５１０側のネジ先５１２を切り立った状態にして、このネジ先５１２が凸部５０８に当たることにより、ネジ終点決めをするようにしている。しかしながら、このような容器においては、容器本体５０２とキャップ５１０の間に配置される（通常キャップの天面に設置される）パッキンの弾性力により、ネジが逆戻りし、場合によっては液漏れが生じてしまうおそれがある。
【０００６】
図１９に示された容器６００においては、容器本体６０２の口部６０４の下部に円環状の段部６０６を設け、この段部６０６に連続する第１凸部６０８、およびこれに間隔をおいて配置された第２凸部６１０を形成するとともに、キャップ６２０の内側のネジ６２２の下側に凸部６２４を設けて、このキャップ６２０の凸部６２４が容器本体６０２の第１凸部６０８に当たることにより、ネジ終点決めをするようにするとともに、パッキンの弾性力によってキャップ６２０が逆戻りしようとしても、キャップ６２０の凸部６２４が上記第２凸部６１０に当たることによりこれを防止するようにしている。図２０に示された容器７００は、図１１に示された容器６００の構造とほぼ同様で、容器本体７０２側に第１および第２凸部７０８、７１０を設けるとともに、キャップ７２０の周壁の下部の一部に下方に延びる凸部７２４を設け、上記図１１の容器６００との同様の作用を果たすようになっている。
【０００７】
しかしながら、上記図１９および図２０の容器６００、７００においては、キャップ６２０、７２０の凸部６２４、７２４が、容器本体６０２、７０２の第１凸部６０８、７０８および第２凸部６１０、７１０の間に入り込むには、凸部６２４、７２４が固定のため、逃げがないので、第２凸部６１０、７１０を強制的に乗り越えて行かなければならず、これにより、キャップの凸部か容器本体の第２凸部のいずれか、あるいは双方が削られてしまい、凸部としての機能を果たさなくなり、図１８の容器と同様、パッキン体の弾性力により、ネジの逆戻りが生じ、場合によっては液漏れが生じてしまう恐れがある。
【０００８】
【発明が解決しようとする課題】
そこで、本発明は、容器本体とキャップの間のネジの解除時点を容易に感知することのできる容器を提供することを目的とする。
本発明の他の目的は、ネジの終点位置決めをするとともに、凸部の削り等がない状態で、パッキン体によるネジの逆戻りを防止することができる容器を提供することにある。
【０００９】
【課題を解決するための手段】
上記課題は、本発明の下記（１）〜（４）の構成のいずれかにより解決される。
（１）  容器本体と、この容器本体にネジで装着されるキャップとを備え、前記容器本体からキャップの取り外し時におけるネジの解除動作における完了時をキャップ操作者に知らせるため、前記容器本体の上部外周面のネジの始点に対応する位置に、周方向に延びる２つの斜面により半径方向に突出して設けられた突出部、および前記キャップの下部内周面に設けられ、前記突出部を半径方向に弾性変形して乗り越える弾性部材を備えるネジ解除完了告知手段を有する容器であって、前記キャップの少なくとも前記弾性部材が設けられる下方部分が、外キャップ部材と、その内側の弾性材料で形成されている内キャップ部材とで形成されており、前記弾性部材は前記内キャップ部材を切り欠くか薄肉部を設けることにより弾性変形ができるようになっており、前記突出部を形成する２つの斜面において、ネジ締め回転方向前側の斜面の角度が、後ろ側の斜面の角度より小さくされていて、ネジの解除に近づくと、前記弾性部材は、前記突出部の比較的急な斜面を半径方向外方に変形しながら抵抗感を伴って登り、この斜面を登り切り、次いで比較的緩やかな斜面をゆっくりと前記の抵抗感を解除しながら下り、この抵抗感の発生と解除により、操作者にネジ解除の完了の告知を行うようになっていることを特徴とする容器。
（２）  前記ネジが１条または２条である上記（１）の容器。
（３）  化粧料用である上記（１）または（２）の容器。
（４） 前記キャップの容器本体への取り付け時におけるネジの締め付け動作における完了時をキャップ操作者に知らせるため、およびネジ終点におけるキャップの容器本体に対する位置決め固定のため、前記容器本体の上部外周面のネジの終点に対応する位置に、周方向に延びる２つの斜面により半径方向に突出して設けられた予告突出部と、これに間隔をあけて配置されたストッパー突出部とを備えるネジ締め付け完了告知・固定手段を更に備え、前記弾性部材がこのネジ締め付け完了告知・固定手段の一部をなし、ネジ終点において、前記弾性部材が前記予告突出部を半径方向に弾性変形して乗り越え、前記予告突出部とストッパー突出部の間に位置決め固定されるようになっている上記（１）〜（３）のいずれかの容器。
【００１０】
【発明の作用・効果】
本発明の容器においては、上記したようなネジ解除完了告知手段を設けたので、操作者は、容易にネジの解除状態を知ることができ、無駄なキャップの回転等がなく、スムースに化粧等の実際の作業に移ることができる。
また、本発明の容器のネジ締め付け完了告知・固定手段においては、上記したような弾性部材を用いたので、上記予告突出部の削れを抑制でき、ネジ締め付け完了告知・固定手段の寿命が長くなり、内容量を使い切るまで、容器を不都合なく使用することができるようになる。また、このネジ締め付け完了告知・固定手段を設けたことにより、以下に記する効果を奏することができる。
オネジ・メネジが行き過ぎてきつくならず、また、その終点の予告を感じ取れる（主に、弾性部材が上記予告突出部を通過するときの抵抗感、および予告突出部とストッパー突出部の間の谷間へ入り込む際の「クリック感」によるが、予告突出部が削られてしまうと、この感覚が無くなってしまうとともに、従来容器のように、ネジの逆戻りが生じ、液漏れが生じてしまう恐れがある）。
パッキンの弾性が一番強い利きやすい位置でネジが止められる。
オスネジ・メスネジの位置が定められるということは、外観の絵柄或いは印刷等がキャップ、ビンを共通して任意の位置の選定ができる。
容器の変形（楕円・四角・丸・三角・多角その他等々）に対して、ネジ終点が定まる事でキャップと容器本体を所定の関係位置に止めることができる。
【００１１】
【発明の実施の形態】
以下、添付図面を参照しつつ、本発明の実施の態様による容器について説明する。
図１は、本発明の実施の態様による容器の容器本体の口部のみを示す正面図、図２は、上記容器のキャップのみを示す正面図、および図３はキャップの主要部である弾性部材の形状を説明するための図である。
【００１２】
本発明の容器は、特に液体状化粧料の容器に適するものであって、図１に示された口部１２を有する容器本体１０と、これにネジで装着されるキャップ５０とを備えている。このキャップ５０には、図示はしていないが、化粧料の塗布具が設けられていてもよい。
上記口部１２は、その上部に、比較的径の小さな第１円筒状部分（ネジ形成部）１４、およびその下に設けられ、該第１円筒状部分１４の外径よりは大きな外径を有する第２円筒状部分（ネジ解除完了告知手段形成部）１６を備えている。上記第１円筒状部分１４には、ネジ１８が形成されている。このこのネジは、通常の化粧料容器がそうであるように、１条あるいは２条であることが望ましい。上記第２円筒状部分１６の外径は、上記ネジ１８における外径とほぼ同じか、それよりわずかに大きく設定されている。この第２円筒状部分１６の上部外周面には、容器本体からのキャップ取り外し時におけるネジの解除動作の完了時をキャップ操作者に知らせるためのネジ解除告知手段２０の一部をなす突出部２２が形成されている。
【００１３】
この突出部２２は、図１およびこの図１の線Ａ−Ａに沿う断面図である図４に示したように、上記第２円筒状部分１６のネジ１８の始点１８ａに対応する位置（後に説明する弾性部材の配置位置との関係で相対的に決まる）に配置され、周方向に延びる２つの斜面２４および２６により半径方向に突出して設けられている。これらの２つの斜面２４および２６おいては、ネジ締め回転方向前側の斜面２４の角度が、後ろ側の斜面２６のそれより小さくされている。すなわち、斜面２４の周方向の長さが、斜面２６の長さより長くされている。この斜面２４および２６の長さの比は、３：１〜１０：１程度であることが好ましい。以上の意味で、第２円筒状部分１６は、ネジ解除完了告知手段設置部といえる。
上記第２円筒状部分１６の下部外周面には、上記キャップ５０の容器本体１０への取り付け時におけるネジの締め付け動作の完了をキャップ５０の操作者に知らせるため、およびネジ終点におけるキャップの容器本体に対する位置決め固定のためのネジ締め付け完了告知・固定手段３０の一部をなすストッパー手段３２が形成されている。
【００１４】
このストッパー手段３２は、上記第２円筒状部分１６の下部外周面のネジの終点１８ｂに対応する位置（上記と同様、後に説明する弾性部材の配置位置との関係で相対的に決まる）に、周方向に延びる２つの斜面３４ａ、３４ｂ｛およびこれらの斜面の間に設けられた平面３４ｃ（この平面は無くてもよい）｝により半径方向に突出して設けられた予告突出部３４と、これに間隔をあけて配置されたストッパー突出部３６とを備えている。このストッパー手段３２は、上記突出部２２に対しては、該突出部の下方に上記のネジのストローク長に略対応する間隔分だけ離されて配置されている。上記予告突出部３４は、上記したように、上記キャップ５０の容器本体１０への取り付け時におけるネジの締め付け動作の完了をキャップ５０の操作者に知らせる機能（以下、第１機能と称す）、および上記ネジ終点におけるキャップの容器本体に対する位置決め固定の機能、具体的にはネジ逆転防止機能（以下、第２機能）を備えている。一方、ストッパー突出部３６は、ネジの終点におけるネジ回転の規制を行うと共に、上記予告突出部３４とともに、上記ネジ終点におけるキャップの容器本体に対する位置決め固定を行っている。
【００１５】
上記キャップ５０は、図２に示されているように、プラスチック等の弾性材料で形成された内キャップ部材５２と、これを丁度覆うようにして嵌合する外キャップ部材５４とを備えている。この外キャップ部材５４は、特に意匠を考えてアルミ等で形成するのが好ましい。
上記内キャップ部材５２の下部には、図３の（ａ）によく示されているように半径方向内側に突出する弾性部材５６が形成されている。この弾性部材５６の先端の半径方向位置は、上記第２円筒状部分１６の外径位置より僅かに外側の位置であることが必要である（ネジの締め付け時に、ネジ等に邪魔されずに第２円筒状部分１６の外周まで行き着くようにするため）。
【００１６】
この弾性部材５６は、内キャップ部材５２の所定の箇所を図２に示したように切り欠き（５２ａ）、舌状部を形成するとともに、この舌状部の上部に図３の（ｂ）に示したような突起５６ｂを形成しておけば、内キャップ部材５２に外キャップ部材５４を装着すれば梃子の作用で自動的に、図３の（ａ）に示したように下部５６ａが内方に突出した状態となる。
なお、上記内キャップ部材５２の弾性部材５６の形成部より上方の内周面には、上記容器本体１０に設けられたネジ１８に螺合するネジ５８が形成されている（図３参照）。以上から分かるように、内キャップ部材５２の内面に、ネジ形成部およびネジ解除完了告知手段設置部が設けられている。
以上説明した構造の容器におけるキャップ５０の容器本体１０への装着および離脱を以下説明する。
【００１７】
装着時
装着時には、まずキャップ５０のネジ５８と容器本体１０のネジ１８の係合が始まる。このとき、同時に、弾性部材５６が突出部２２に係合して弾性変形して乗り上げて行くが、斜面２４の傾斜が緩やかなので抵抗無くネジの締め付けを開始できる。
一方、ネジの終点に近づくと、弾性部材５６は、まず予告突出部３４に弾性変形して乗り上げ、予告突出部３４を通過すると、そこから自身の弾性力により、突出部３４，３６の間の谷に落ち込むことにより、操作者に抵抗感とクリック感を与えて、ネジの終点の予告を行う。さらに、ネジを回転しようとすると、弾性部材５６の側壁がストッパー突出部３６の切り立った壁３６ａに当たり、それ以上のネジすなわちキャップの容器本体に対する回転を阻止して、ネジ締め付けを完了する。液漏れ防止のため、通常、キャップ５０の天面に設けられたパッキン（図示せず）の復元弾性力により、キャップ５０を押し戻す力が発生するが、キャップ５０の弾性部材５６が上記ストッパー手段３２の予告突出部３４に当たるので、押し戻しの防止が図れる。また、本容器におけるストッパー手段３２においては、弾性部材５６がその弾性により変形して、予告突出部３４を乗り越えるので、すなわち、弾性部材５６が弾性により逃げるので、弾性部材５６あるいは予告突出部３４が削れてしまうようなことがなく、締め付け、固定機能の長寿命化が図れる。
【００１８】
離脱時
一方、キャップ５０の予告突出部３４からの離脱時においては、キャップ５０を逆に回す。そうすると、弾性部材５６は予告突出部３４を乗り越えて、ネジの解除が始まる。従って、予告突出部３４の戻り防止用の斜面３４ｂは、弾性部材５６が上記のパッキンの弾性復元力では乗り越えられないが、人間の手による回転では容易に、弾性部材５６が該斜面を乗り越えられるような傾斜としておくことが好ましい。
ネジの解除が完了に近づくと、上記弾性部材５６は、上記突出部２２の比較的急な斜面２６を半径方向外方に変形しながら、登り始め、これが抵抗感となる。また、弾性部材５６が斜面２６を登り切り、斜面２４をゆっくりと下り始めると、上記の抵抗感が解除される。この抵抗感の発生と解除により、操作者にネジ解除の完了の告知が行われるので、操作者はキャップ５０を容器本体１０から引き離し、即座に化粧等の作業に移れるようになる。
【００１９】
上記した例では、弾性部材５６をキャップ５０側に設け、突出部を容器本体側に設けた例について説明したが、僅かな変形により、弾性部材５６を容器本体１０に設け、突出部をキャップ５０側に設けることができる。また、キャップを内と外のキャップ部材で構成したが、キャップの下方部分のみを二重にして、内側の部分に弾性部材を設けてもよい。この場合は、例えば、キャップの下方部分を薄くし、そこにキャップパイプを設けるようにすればよい。弾性部材はキャップの薄くした下方部分に上記と同様にして形成する。
また、上記弾性部材の形状は、図２および図３に示した構造の他、図６以降に示した構造とすることができる。
【００２０】
図６および図７に示した構造のものは、プレス機等において、上記の内キャップ部材５２の弾性部材５６の形成部分とほぼ同じ部分を半径方向内側にオフセットさせ、オフセット弾性部７０を形成し、この後ろ側の空間を変形逃げ空間７２として、上記弾性部材５６と同様の作用を行わせるものである。
図８および図９に示した構造のものは、図６および図７に示した構造のものとほぼ同様のものであるが、プレス機等を用いずに、金型（中子を含む）を用いた成型のみで形成することができる構造のものである。この弾性部材８０は、内キャップ部材５２の上記弾性部材５６の形成位置と略同じ位置の部分に、外面に矩形の凹部８２を設けて、その部分を薄肉部８４とするとともに、この薄肉部８４の内面に凸部８６を設けて、形成したものである。この凸部８６は、上記ネジ解除完了告知手段の突出部２２の左右を逆にしたような形状のものであることが好ましい。上記凸部８６を設けた薄肉部８４に凹部８６による空間８８が設けられており、この空間が逃げとなって、凸部８６は弾性的に変位できる。
【００２１】
この内キャップ部材５２は、弾性部材８０が設けられた部分より下の部分５２ａを成型する金型部分（図８にＡで示した）と、それ以上の部分５２ｂを成型する部分とを分割できるようにした金型を用いて成型できる。このような金型をもちいて、成型が終了したのち、先ず、上記Ａの部分の金型部分を外し、内キャップ部材成型キャビティ内部に配置した中子を回転させながら、下方に移動させれば、上記凸部８６は、中子の外面が当たると、外方に逃げるので、中子を外すことができる。
【００２２】
図１０に示した構造の弾性部材９０は、内キャップ部材５２の下部の外面に、環状の凹部９２を設けて、環状の薄肉部９４を形成するとともに、その一部に対向する一対の切り欠き９６形成し、これらの切り欠きの間に凸部９８を設けて、形成したものである。この弾性部材９０も上記弾性部材８０と同様にして、金型による成型のみで成型することができる。切り欠きの形状または配置は、図示した例の他、図２に示したようなコの字状を９０度回転させた形状等とすることができる。
【００２３】
一方、図１１および図１２に示した構造のものは、内キャップ部材５２に切り欠き１００を設け、この切り欠き１００に金属弾性部材１０２を配置して、上記弾性部材５６と同様の作用を行わせる構造のものである。この弾性部材としては、ゴム片等を用いることも出来る。
いずれにせよ、この弾性部材は、上記の予告突出部３４を半径方向に弾性変形することによりより乗り越えられる等、本発明の弾性部材に期待される機能・作用を行うことができるものであるなら、形状・構造等はどのようなものであってもよい。
【００２４】
さらに、本発明の容器においては、上記ネジ解除完了告知手段の突出部２２は、図１３に示したように隣接するネジ１８の山の間に配置することができ、また、ストッパー手段３２の予告突出部３４およびストッパー突出部３６は、図１３に示したようにネジ下に、あるいは図１４に示したようにネジ間に配置することができる。
このとき、キャップに設ける弾性部材は、図１５に示したように、ネジ１８の先に設けることが必要である。この場合の横断面形状を図１６に示した。これらの図の弾性部材は、および凸部９８をネジの延長上に斜めに配置したこと以外は、図１０の弾性部材とほぼ同じ構造であるので、同一の符号を付してこれ以上の説明を省略する。切り欠きの形状は、図１７に示した形状とすることもできる。また、弾性部材の構造を図８および図９に示した構造のものとすることもできる。
【００２５】
以上説明した本発明の容器においては、上記したようなネジ解除完了告知手段を設けたので、操作者は、容易にネジの解除状態を知ることができ、無駄なキャップの回転等がなく、スムースに化粧等の実際の作業に移ることができるとともに、上記した構造の弾性部材を採用したので、突出部、凸部を乗り越える際には、半径方向外側に逃げることができるので、上記突出部やそれ自身の削れを抑制でき、ネジ締め付け完了告知・固定手段の寿命が長くなり、内容量を使い切るまで、容器を不都合なく使用することができるようになる。
【図面の簡単な説明】
【図１】本発明の一実施態様による容器の容器本体の口部の正面図である。
【図２】本発明の一実施態様による容器のキャップを外キャップ部材を省略して示した内キャップ部材の正面図である。
【図３】図２に示したキャップの主要部である弾性部材の垂直断面図であり、（ａ）は作用状態を示す図、（ｂ）は（ａ）の状態になる前の状態を示す垂直断面図である。
【図４】図１の線Ａ−Ａに沿う断面図である。
【図５】図１の線Ｂ−Ｂに沿う断面図である。
【図６】上記弾性部材の変形例を示す図３と同様の図である。
【図７】図６の線Ｃ−Ｃに沿う断面図である。
【図８】上記弾性部材のさらに他の変形例を備える内キャップ部材の正面図である。
【図９】図８に示した内キャップ部材の垂直断面図である。
【図１０】上記弾性部材のさらに他の変形例を備える内キャップ部材の正面図である。
【図１１】上記弾性部材の他の変形例を示す図３と同様の図である。
【図１２】図１１の線Ｄ−Ｄに沿う断面図である。
【図１３】容器本体の口部の変形例を示す正面図である。
【図１４】容器本体の口部の他の変形例を示す正面図である。
【図１５】容器本体の口部のさらに他の変形例を示す正面図である。
【図１６】図１５に示した容器本体の口部の水平断面図である。
【図１７】容器本体の口部のさらに他の変形例を示す正面図である。
【図１８】従来の容器の構成例を示す斜視図である。
【図１９】他の従来の容器の構成例を示す斜視図である。
【図２０】さらに他の従来の容器の構成例を示す斜視図である。
【符号の説明】
１０  容器本体
１２  口部
１４  第１円筒状部分
１６  第２円筒状部分
１８  ネジ
２０  ネジ解除完了告知手段
２２  突出部
２４  斜面
２６  斜面
３０  ネジ締め付け完了告知・固定手段
３２  ストッパー手段
３４  予告突出部
３６  ストッパー突出部
５０  キャップ
５２  内キャップ部材
５４  外キャップ部材
５６  弾性部材
５８  ネジ
【図１】
0004025041.tif 000002
【図２】
0004025041.tif 000003
【図３】
0004025041.tif 000004
【図４】
0004025041.tif 000005
【図５】
0004025041.tif 000006
【図６】
0004025041.tif 000007
【図７】
0004025041.tif 000008
【図８】
0004025041.tif 000009
【図９】
0004025041.tif 000010
【図１０】
0004025041.tif 000011
【図１１】
0004025041.tif 000012
【図１２】
0004025041.tif 000013
【図１３】
0004025041.tif 000014
【図１４】
0004025041.tif 000015
【図１５】
0004025041.tif 000016
【図１６】
0004025041.tif 000017
【図１７】
0004025041.tif 000018
【図１８】
0004025041.tif 000019
【図１９】
0004025041.tif 000020
【図２０】
0004025041.tif 000021